(57)【要約】      （修正有）【課題】エアバッグユニットと、エアポンプとを含む手袋型マッサージ器を提供する。【解決手段】エアバッグユニット２と、エアポンプとを含む手袋型マッサージ器であって、該エアバッグユニット２は、第１、第２のマッサージ部分２１を含み、該第１のマッサージ部分は、少なくとも手のひら正背面に対応する正面２２、背面部分２３を有し、正面２２、背面部分２３にともに第１のエアサック２４を設け、第２のマッサージ部分２１は、環形の、手指が貫通することができる環形エアサックを有し、該エアポンプは、第１のエアサック２４と環形エアサックとを連通接続することができる。これにより、少なくとも手のひらと手指とを同時にマッサージすることができ、マッサージ機能が多様化し、マッサージ効果が高く、環形エアサックを採用し、手指の全方向マッサージを実現し、手指マッサージ効果を高めることができるという特長を有する。【選択図】図５
0003216090.tif 000002
【実用新案登録請求の範囲】
【請求項１】
エアバッグユニット（２）と、エアポンプ（１）とを含む手袋型マッサージ器であって、前記エアバッグユニット（２）は、第１のマッサージ部分と第２のマッサージ部分（２１）とを含み、前記第１のマッサージ部分は、少なくとも手のひら正背面に対応する正面部分（２２）と背面部分（２３）とを有し、前記正面部分（２２）および背面部分（２３）にともに第１のエアサック（２４）を設け、前記第２のマッサージ部分（２１）は、環形の、手指が貫通することができる環形エアサックを有し、前記エアポンプ（１）は、第１のエアサック（２４）と環形エアサックとを連通接続することができることを特徴とする、手袋型マッサージ器。
【請求項２】
前記第１のマッサージ部分は二つ折りになり、少なくとも前記正面部分（２２）と背面部分（２３）とを形成し、前記第２のマッサージ部分（２１）と正面部分または背面部分とは一体に接続されることを特徴とする、請求項１に記載の手袋型マッサージ器。
【請求項３】
前記第１のエアサック（２４）は、正面部分（２２）、背面部分（２３）の対応する手のひらの中心位置に設けられることを特徴とする、請求項１または２に記載の手袋型マッサージ器。
【請求項４】
前記正面部分（２２）、背面部分（２３）にともに２つの第２のエアサック（２５）をさらに設け、前記２つの第２のエアサック（２５）は、第１のエアサック（２４）の左右両側に配置されることを特徴とする、請求項１または２に記載の手袋型マッサージ器。
【請求項５】
前記第２のマッサージ部分（２１）の個数は少なくとも４つであり、前記少なくとも４つの第２のマッサージ部分（２１）は並列配置されることを特徴とする、請求項１または２に記載の手袋型マッサージ器。
【請求項６】
前記正面部分（２２）、背面部分（２３）にともに第３のエアサック（２６）をさらに設け、前記第３のエアサック（２６）は、第２のマッサージ部分（２１）と第１のエアサック（２４）との間に位置し、かつ手指付け根部に対応することを特徴とする、請求項１または２に記載の手袋型マッサージ器。
【請求項７】
加熱片（３）をさらに含み、前記加熱片（３）は、第１のマッサージ部分の正面部分（２２）および／または背面部分（２３）に設けられることを特徴とする、請求項１または２に記載の手袋型マッサージ器。
【請求項８】
シリコーンゴムマッサージ片（４）をさらに含み、前記シリコーンゴムマッサージ片（４）は、第１のマッサージ部分の正面部分（２２）および／または背面部分（２３）に設けられることを特徴とする、請求項１または２に記載の手袋型マッサージ器。
【請求項９】
ハウジング部分（５）と、エアバルブ（６）と、回路基板（７）と、使用者が操作することができる操作部分（８）とをさらに含み、前記ハウジング部分（５）は本体（５１）を含み、前記本体（５１）は貫通空間（５２）を形成し、前記エアバッグユニット（２）はハウジング部分（５）の貫通空間内に装接され、前記操作部分（８）はハウジング部分（５）に設けられ、かつ回路基板（７）を電気接続し、前記回路基板（７）はハウジング部分（５）内に固設され、かつエアポンプ（１）とエアバルブ（６）とを電気接続し、前記エアポンプ（１）はエアバルブ（６）を介して第１のエアサック（２４）と環形エアサックとを接続することを特徴とする、請求項１または２に記載の手袋型マッサージ器。
【請求項１０】
前記ハウジング部分（５）はハウジングをさらに含み、前記ハウジングは、上蓋（５３）と下蓋（５４）とを含み、前記上蓋（５３）と下蓋（５４）とは一体に固接され、かつ本体（５１）は上蓋（５３）と下蓋（５４）との間に固設され、前記エアポンプ（１）はハウジング内に固接されることを特徴とする、請求項９に記載の手袋型マッサージ器。
【考案の詳細な説明】
【技術分野】
【０００１】
本実用新案は、マッサージ器に関し、特に使用者の手部をマッサージするために用いる手袋型マッサージ器に関する。
【背景技術】
【０００２】
従来の手袋型マッサージ器は、エアバッグユニットとエアポンプとを含み、エアポンプはエアバッグユニットに接続され、それによってエアバッグユニットを駆動して膨張収縮させ、使用者の手部をマッサージすることができる。例えば、ＣＮ２００８２０１７１５０６．９などがある。
【考案の概要】
【考案が解決しようとする課題】
【０００３】
しかしながら、従来の手袋型マッサージ器は、使用者の手のひら部分しかマッサージすることができず、機能は単一で、快適度は高くない。
【０００４】
そこで、本実用新案は、本実用新案は手袋型マッサージ器を提供し、背景技術に存在するマッサージ機能が単一であるという欠点を克服した。
【課題を解決するための手段】
【０００５】
本実用新案がその技術的問題を解決するために用いた技術方案は、以下の通りである。
【０００６】
手袋型マッサージ器は、エアバッグユニット（２）と、エアポンプ（１）とを含み、該エアバッグユニット（２）は、第１のマッサージ部分と第２のマッサージ部分（２１）とを含み、該第１のマッサージ部分は、少なくとも手のひら正背面に対応する正面部分（２２）と背面部分（２３）とを有し、該正面部分（２２）および背面部分（２３）にともに第１のエアサック（２４）を設け、該第２のマッサージ部分（２１）は、環形の、手指が貫通することができる環形エアサックを有し、該エアポンプ（１）は、第１のエアサック（２４）と環形エアサックとを連通接続することができる。
【０００７】
一実施例において、該第１のマッサージ部分は二つ折りになり、少なくとも上記正面部分（２２）と背面部分（２３）とを形成し、該第２のマッサージ部分（２１）と正面部分または背面部分とは一体に接続される。
【０００８】
一実施例において、該第１のエアサック（２４）は、正面部分（２２）、背面部分（２３）の対応する手のひらの中心位置に設けられる。
【０００９】
一実施例において、該正面部分（２２）、背面部分（２３）にともに２つの第２のエアサック（２５）をさらに設け、該２つの第２のエアサック（２５）は、第１のエアサック（２４）の左右両側に配置される。
【００１０】
一実施例において、該第２のマッサージ部分（２１）の個数は少なくとも４つであり、該少なくとも４つの第２のマッサージ部分（２１）は並列配置される。
【００１１】
一実施例において、該正面部分（２２）、背面部分（２３）にともに第３のエアサック（２６）をさらに設け、該第３のエアサック（２６）は、第２のマッサージ部分（２１）と第１のエアサック（２４）との間に位置し、かつ手指付け根部に対応する。
【００１２】
一実施例において、加熱片（３）をさらに含み、該加熱片（３）は、第１のマッサージ部分の正面部分（２２）および／または背面部分（２３）に設けられる。
【００１３】
一実施例において、シリコーンゴムマッサージ片（４）をさらに含み、該シリコーンゴムマッサージ片（４）は、第１のマッサージ部分の正面部分（２２）および／または背面部分（２３）に設けられる。
【００１４】
一実施例において、ハウジング部分（５）と、エアバルブ（６）と、回路基板（７）と、使用者が操作することができる操作部分（８）とをさらに含み、該ハウジング部分（５）は本体（５１）を含み、該本体（５１）は貫通空間（５２）を形成し、該エアバッグユニット（２）はハウジング部分（５）の貫通空間内に装接され、該操作部分（８）はハウジング部分（５）に設けられ、かつ回路基板（７）を電気接続し、該回路基板（７）はハウジング部分（５）内に固設され、かつエアポンプ（１）とエアバルブ（６）とを電気接続し、該エアポンプ（１）はエアバルブ（６）を介して第１のエアサック（２４）と環形エアサックとを接続する。
【００１５】
一実施例において、該ハウジング部分（５）はハウジングをさらに含み、該ハウジングは上蓋（５３）と下蓋（５４）とを含み、該上蓋（５３）と下蓋（５４）とは一体に固接され、かつ本体（５１）は上蓋（５３）と下蓋（５４）との間に固設され、該エアポンプ（１）はハウジング内に固接される。
【考案の効果】
【００１６】
本技術方案は、背景技術と比べて、以下のような特長を有する。
【００１７】
第１のマッサージ部分の正面部分および背面部分にともに第１のエアサックを設けたため、第１のエアサックによって、使用者の手のひらをマッサージすることができる。第２のマッサージ部分は、環形の、手指が貫通することができる環形エアサックを有するため、環形エアサックによって使用者の手指をマッサージすることができ、そのため、少なくとも手のひらと手指とを同時にマッサージすることができ、マッサージ機能は多様化し、マッサージ効果が高く、しかも環形エアサックを採用したため、手指の全方向マッサージを実現し、手指マッサージ効果を高めることができる。
【００１８】
第１のマッサージ部分は二つ折りになり、少なくとも上記正面部分と背面部分とを形成し、第２のマッサージ部分と正面部分または背面部分とは一体に接続され、構造は簡単で、製造コストが低く、組立てやすい。
【００１９】
第１のエアサックは、正面部分、背面部分の対応する手のひらの中心位置に設けられ、それによって使用者の手のひらの中心をマッサージすることができる。
【００２０】
正面部分、背面部分にともに２つの第２のエアサックを設け、２つの第２のエアサックは、第１のエアサックの左右両側に配置され、それによって手のひらの左右部分をマッサージすることができる。
【００２１】
第２のマッサージ部分の個数は少なくとも４つであり、少なくとも４つの第２のマッサージ部分は並列配置され、使用者の装着に便利である。
【００２２】
第３のエアサックは、第２のマッサージ部分と第１のエアサックとの間に位置し、かつ手指付け根部に対応し、それによって手指付け根部をマッサージすることができる。
【００２３】
加熱片は、第１のマッサージ部分の正面部分および／または背面部分に設けられ、エアサックによってマッサージを実現することができるだけでなく、加熱マッサージを行うこともでき、マッサージ効果が高い。
【００２４】
シリコーンゴムマッサージ片は、第１のマッサージ部分の正面部分および／または背面部分に設けられ、マッサージ効果をさらに強化する。
【００２５】
エアバッグユニットは、ハウジング部分の貫通空間内に装接され、構造は簡単で、使用者がマッサージする際に使用しやすい。
【００２６】
ハウジング部分はハウジングをさらに含み、ハウジングは上蓋と下蓋とを含み、上蓋と下蓋とは一体に固接され、かつ本体は上蓋と下蓋との間に固設され、エアポンプはハウジング内に固接され、組み立てに便利であり、構造は簡単で、コンパクトである。
【００２７】
エアバルブ、回路基板および操作部分は、ハウジング部分を接続し、組み立てに便利であり、構造は簡単で、コンパクトである。エアポンプは、エアバルブを介して、第１のエアサックおよび環形エアサックを接続し、使用者が必要に応じてマッサージ部位を選択するのに便利である。
【図面の簡単な説明】
【００２８】
【図１】具体的実施形態のマッサージ器の立体概略図その１である。
【図２】具体的実施形態のマッサージ器の立体概略図その２である。
【図３】具体的実施形態のマッサージ器の立体分解概略図である。
【図４】具体的実施形態のマッサージ器のエアバッグユニットの立体分解概略図その１である。
【図５】具体的実施形態のマッサージ器のエアバッグユニットの立体分解概略図その２である。
【考案を実施するための形態】
【００２９】
以下では、図面および実施例を組み合わせて、本実用新案についてさらに説明する。図１から図５を参照されたい。手袋型マッサージ器は、エアバッグユニット２と、エアポンプ１と、加熱片３と、マッサージ片４と、ハウジング部分５と、エアバルブ６と、回路基板７と、使用者が操作することができる操作部分８とを含む。該エアバッグユニット２は、第１のマッサージ部分と、第２のマッサージ部分２１とを含む。
【００３０】
該第１のマッサージ部分は、少なくとも手のひら正背面に対応する正面部分２２と背面部分２３とを有し、本具体的実施形態において、該第１のマッサージ部分は二つ折りになり、少なくとも上記正面部分２２と背面部分２３とを形成する。該正面部分２２および背面部分２３にともに第１のエアサック２４を設け、第１のエアサック２４は、正面部分２２、背面部分２３の対応する手のひらの中心位置に設けられ、必要に応じて、該正面部分２２、背面部分２３にともに２つの第２のエアサック２５をさらに設け、該２つの第２のエアサック２５は、第１のエアサック２４の左右両側に配置され、必要に応じて、該正面部分２２、背面部分２３に第３のエアサック２６をさらに設け、該第３のエアサック２６は、第２のマッサージ部分２１と第１のエアサック２４との間に位置し、かつ手指付け根部に対応する。
【００３１】
該第２のマッサージ部分２１は、環形の、手指が貫通することができる環形エアサックを有し、該第２のマッサージ部分２１の個数は４つであり、該４つの第２のマッサージ部分２１は並列配置され、しかも、該第２のマッサージ部分２１と正面部分２２または背面部分２３とは一体に接続され、例えば第２のマッサージ部分２１と正面部分２２とは一体に接続され、または、第２のマッサージ部分２１と背面部分２３とは一体に接続される。
【００３２】
該エアポンプ１は、第１のエアサック２４と、第２のエアサック２５と、第３のエアサック２６と、環形エアサックとを連通接続することができる。必要に応じて、該エアポンプ１は、エアバルブ６を介して第１のエアサック２４と、第２のエアサック２５と、第３のエアサック２６と、環形エアサックとを接続する。
【００３３】
該加熱片３は、第１のマッサージ部分の正面部分２２および／または背面部分２３に設けられ、シリコーンゴムマッサージ片などの該マッサージ片４は、第１のマッサージ部分の正面部分２２および／または背面部分２３に設けられる。
【００３４】
本具体的実施形態において、該ハウジング部分５は、本体５１とハウジングとを含み、該本体５１は、貫通空間５２を形成し、該エアバッグユニット２は、ハウジング部分５の貫通空間内に装接され、該ハウジングは、上蓋５３と下蓋５４とを含み、該上蓋５３と下蓋５４とは一体に固接され、かつ本体５１は、上蓋５３と下蓋５４との間に固設される。該エアポンプ１、エアバルブ６、回路基板７はすべてハウジング内に固接され、ボタンまたはボタンパネルなどの該操作部分８は、ハウジング部分５の上蓋５３の上に設けられる。該操作部分８は、ハウジング部分５に設けられ、かつ回路基板７を電気接続し、該回路基板７は、エアポンプ１とエアバルブ６とを電気接続する。該操作部分８は、ボタン８１と、ボタン固定板８２とを含む。
【００３５】
以上で述べたものは、本実用新案の好適な実施例にすぎず、ゆえにこれによって本実用新案の実施範囲を限定してはならない。すなわち、本実用新案の特許範囲および明細書内容に基づいて行った等価の変更および修飾も、すべてやはり本実用新案が網羅する範囲内に属するべきである。
【符号の説明】
【００３６】
１    エアポンプ
２    エアバッグユニット
２１  第２のマッサージ部分
２２  正面部分
２３  背面部分
２４  第１のエアサック
２５  第２のエアサック
２６  第３のエアサック
３    加熱片
４    マッサージ片
５    ハウジング部分
５１  本体
５２  貫通空間
５３  上蓋
５４  下蓋
６    エアバルブ
７    回路基板
８    操作部分
８１  ボタン
８２  ボタン固定板
【図１】
0003216090.tif 000003
【図２】
0003216090.tif 000004
【図３】
0003216090.tif 000005
【図４】
0003216090.tif 000006
【図５】
0003216090.tif 000007